(57)【要約】【課題】操作性に優れた体腔内不要物吸引装置を提供する。【解決手段】体腔内の不要物を吸引する際に不要物が通過する排出流路３２が形成されたノズル１０を備えた体腔内不要物吸引装置を対象とする。ノズル１０は、ノズル１０における基端側の部分であってユーザによって把持される把持部１１と、ノズル１０における先端側の部分であって先端部が前記体腔内に挿入されるノズル本体部２０とを有する。把持部１１には、排出流路３２を大気へ開放する開放孔１３が形成されている。【選択図】図２
2018099431.tif 000002
【特許請求の範囲】
【請求項１】
体腔内の不要物を吸引する際に該不要物が通過する排出流路が形成されたノズルを備えた体腔内不要物吸引装置であって、
前記ノズルは、
前記ノズルにおける基端側の部分であって、ユーザによって把持される把持部と、
前記ノズルにおける先端側の部分であって、先端部が前記体腔内に挿入されるノズル本体部と、
を有し、
前記把持部には、前記排出流路を大気へ開放する開放孔が形成されていることを特徴とする、体腔内不要物吸引装置。
【請求項２】
請求項１に記載の体腔内不要物吸引装置において、
前記ノズルは、前記開放孔を開閉する蓋部を更に有していることを特徴とする、体腔内不要物吸引装置。
【請求項３】
請求項２に記載の体腔内不要物吸引装置において、
前記蓋部は、前記把持部に対してスライド移動することにより前記開放孔を開閉することを特徴とする、体腔内不要物吸引装置。
【請求項４】
請求項１から請求項３のいずれか１項に記載の体腔内不要物吸引装置において、
前記把持部には、複数の前記開放孔が形成されていることを特徴とする、体腔内不要物吸引装置。
【請求項５】
請求項１から請求項４のいずれか１項に記載の体腔内不要物吸引装置であって、
前記ノズルには、前記体腔内に吐出される洗浄液が通過する吐出流路も形成されていることを特徴とする、体腔内不要物吸引装置。
【発明の詳細な説明】
【技術分野】
【０００１】
本発明は、体腔内の不要物を吸引する体腔内不要物吸引装置に関する。
【背景技術】
【０００２】
従来より、体腔内の不要物を吸引して体外へ排出する体腔内不要物吸引装置が知られている。例えば特許文献１には、体腔内に洗浄液を吐出することにより体腔内の壁部に付着した不要物を除去するとともに、除去した不要物を洗浄液とともに吸引して体腔外へ排出するための装置（体腔内不要物吸引装置）が開示されている。
【先行技術文献】
【特許文献】
【０００３】
【特許文献１】特表２０１３−５３２０２３号公報
【発明の概要】
【発明が解決しようとする課題】
【０００４】
ところで、体腔内の不要物を吸引する際にノズルの先端部が腸壁に触れてしまうと吸引口が閉塞されてしまうため、不要物をスムーズに吸引することができなくなる。この点につき、例えば、不要物が体外へ排出されるまでの流路の一部を軟質のチューブで構成し、そのチューブをクランプすることにより吸引圧を調整することが考えられる。しかしながら、そうするには、操作者がノズルを把持している手と反対側の手を用いる必要があるため、操作が煩雑になってしまう。或いは、操作者の助手がその操作を行うことも考えられるが、複数名での作業が必要となってしまう。
【０００５】
本発明は、上記課題を解決するためのものであり、その目的は、操作性に優れた体腔内不要物吸引装置を提供することである。
【課題を解決するための手段】
【０００６】
（１）上記目的を達成するための本発明のある局面に係る体腔内不要物吸引装置は、体腔内の不要物を吸引する際に該不要物が通過する排出流路が形成されたノズルを備えた体腔内不要物吸引装置であって、前記ノズルは、前記ノズルにおける基端側の部分であって、ユーザによって把持される把持部と、前記ノズルにおける先端側の部分であって、先端部が前記体腔内に挿入されるノズル本体部と、を有し、前記把持部には、前記排出流路を大気へ開放する開放孔が形成されている。
【０００７】
この構成によれば、ノズルの先端部を体腔内に挿入し且つ開放孔を閉塞した状態において体腔内の不要物を吸引することにより、該不要物を、排出流路を介して体外へ排出することができる。
【０００８】
そして、この構成によれば、ノズルの把持部に、排出流路を大気へ開放するための開放孔が形成されているため、容易にノズルの吸引圧を調整することができる。具体的には、ノズルを把持している操作者が、そのノズルを持っている方の手の指を用いて開放孔を塞いだり開けたりすることができる。すなわち、この構成によれば、ノズルを把持している方の手でノズルの吸引圧を調整することができる。
【０００９】
従って、この構成によれば、操作性に優れた体腔内不要物吸引装置を提供できる。
【００１０】
（２）好ましくは、前記ノズルは、前記開放孔を開閉する蓋部を更に有している。
【００１１】
この構成によれば、開放孔の開閉が蓋部によって行われる。例えば、開放孔に蓋部が設けられていない場合、操作者は、開放孔の閉塞状態を保つために自身の指で開放孔を押さえ続ける必要がある。これに対して、この構成によれば、操作者が一旦蓋部を閉めれば、次に蓋部を開けるまで指を自由に動かすことができる。すなわち、この構成によれば、より操作性に優れた体腔内不要物吸引装置を提供できる。
【００１２】
（３）更に好ましくは、前記蓋部は、前記把持部に対してスライド移動することにより前記開放孔を開閉する。
【００１３】
この構成によれば、操作者がノズルを把持しつつ、そのノズルを把持している方の手の指（例えば親指）を蓋部のスライド方向に沿って動かすことにより、開放孔を容易に開閉できる。すなわち、この構成によれば、より一層操作性に優れた体腔内不要物吸引装置を提供できる。
【００１４】
（４）好ましくは、前記把持部には、複数の前記開放孔が形成されている。
【００１５】
この構成によれば、閉塞する開放孔の個数に応じて吸引圧を容易に調整することができる。
【００１６】
（５）好ましくは、前記ノズルには、前記体腔内に吐出される洗浄液が通過する吐出流路も形成されている。
【００１７】
この構成によれば、体腔内の不要物を吸引するためのノズルに、体腔内に洗浄液を吐出するための吐出流路も設けられているため、使い勝手のよい体腔内不要物吸引装置を提供できる。
【発明の効果】
【００１８】
本発明によると、操作性に優れた体腔内不要物吸引装置を提供できる。
【図面の簡単な説明】
【００１９】
【図１】本発明の実施形態に係る直腸洗浄装置の概略構成を示す図である。
【図２】図１に示すノズルの正面図であって、ノズルに接続された吐出側チューブ及び排出側チューブとともに示す図である。
【図３】図３（Ａ）は、図２に示すノズルを矢印ＩＩＩＡ方向から視た図であって、ノズル１０の先端部のみを示す図である。また、図３（Ｂ）は、図２のＩＩＩＢ−ＩＩＩＢ線の断面図である。
【図４】変形例に係る直腸洗浄装置に用いられるノズルの把持部付近を拡大して示す図である。
【図５】変形例に係る直腸洗浄装置に用いられるノズルの把持部付近を拡大して示す図である。
【図６】変形例に係る直腸洗浄装置に用いられるノズルの把持部付近を拡大して示す図である。
【図７】変形例に係る直腸洗浄装置に用いられるノズルの把持部付近を拡大して示す図であって、図７（Ａ）は正面図、図７（Ｂ）は把持部を図７（Ａ）の矢印ＶＩＩＢ方向から視た図である。
【発明を実施するための形態】
【００２０】
以下、本発明を実施するための形態について図面を参照しつつ説明する。本発明は、体腔内の不要物を吸引する体腔内不要物吸引装置に広く適用できる。
【００２１】
［直腸洗浄装置の概略構成］
図１は、本実施形態に係る直腸洗浄装置１（体腔内不要物吸引装置）の概略構成を示す図である。直腸洗浄装置１は、例えば一例として、直腸ガン切除術における吻合手技の前後で、遊離ガン細胞Ｃ（不要物）を体外へ排出するために用いられる。
【００２２】
直腸洗浄装置１は、図１に示すように、吐出ポンプ２及び排出ポンプ３と、吐出側チューブ４及び排出側チューブ５と、ノズル１０とを備えている。
【００２３】
吐出ポンプ２は、洗浄液Ｗａ（例えば生理食塩水）を直腸Ｒ内（体腔内）へ供給する供給機構である。吐出ポンプ２は、洗浄液タンク６に貯留された洗浄液Ｗａを吸引して吐出側チューブ４へ吐出する。なお、吐出ポンプ２は、洗浄液タンク６が配置される高さ位置によっては省略することができる。具体的には、洗浄液タンク６が比較的高い位置に配置され、ノズル１０へ供給される洗浄液の圧力を十分に確保できる場合には、吐出ポンプ２を省略することができる。
【００２４】
吐出側チューブ４は、可撓性を有するチューブである。例えば、吐出側チューブ４として、塩化ビニール製のチューブを用いることができる。吐出側チューブ４では、その一端が吐出ポンプ２の吐出側に接続される一方、他端がノズル１０の流入ポート１２ａに接続される。
【００２５】
ノズル１０は、吐出ポンプ２側から搬送された洗浄液Ｗａを直腸Ｒ内へ吐出する。これにより、直腸Ｒ内の腸壁に付着した遊離ガン細胞Ｃを腸壁から離脱させて洗浄液と混合することができる。また、ノズル１０は、そのようにして洗浄液と混合させられた遊離ガン細胞Ｃを洗浄液とともに吸引する。これにより、直腸Ｒ内の遊離ガン細胞Ｃを体外へ排出できる。ノズル１０の具体的な構成については、詳しくは後述する。
【００２６】
排出側チューブ５は、可撓性を有するチューブである。例えば、排出側チューブ５として、塩化ビニール製のチューブを用いることができる。排出側チューブ５では、その一端が排出ポンプ３の吸引側に接続される一方、他端がノズル１０の流出ポート１２ｂに接続される。
【００２７】
排出ポンプ３は、直腸Ｒ内の遊離ガン細胞Ｃを洗浄液とともに吸引する吸引機構である。排出ポンプ３は、直腸Ｒ内の遊離ガン細胞Ｃが混合した洗浄液（以下、この液を不要液Ｗｂと称する）を、ノズル１０及び排出側チューブ５を介して吸引する。
【００２８】
直腸洗浄装置１は、ノズル１０の先端部が患者の直腸Ｒ内に挿入された状態で用いられる。直腸洗浄装置１によれば、直腸Ｒ内へ洗浄液Ｗａを吐出する吐出工程と、直腸Ｒ内の不要液Ｗｂを外部へ排出する排出工程と、を交互に行うことができる。具体的には、吐出工程では、吐出ポンプ２から吐出された洗浄液Ｗａがノズル１０を介して直腸Ｒ内に吐出される。これにより、腸壁に付着した遊離ガン細胞Ｃを洗浄液Ｗａと混合させることができる。一方、排出工程では、排出ポンプが駆動することにより、直腸Ｒ内の不要液Ｗｂがノズル１０から吸引され、ノズル１０及び排出側チューブ５を介して体外へ排出される。これにより、遊離ガン細胞Ｃを直腸内から除去することができる。直腸洗浄装置１を用いてこれらの吐出工程と排出工程とが繰り返し行われることにより、直腸Ｒ内を十分に洗浄することができる。
【００２９】
［ノズルの構成］
図２は、図１に示すノズル１０の正面図であって、ノズル１０に接続された吐出側チューブ４及び排出側チューブ５とともに示す図である。また図３（Ａ）は、図２に示すノズル１０を矢印ＩＩＩＡ方向から視た図であって、ノズル１０の先端部のみを示す図である。また、図３（Ｂ）は、図２のＩＩＩＢ−ＩＩＩＢ線の断面図である。なお、以下では、説明の便宜上、図２において前と記載されている矢印が示す方向を前方又は前側、後と記載されている矢印が示す方向を後方又は後側、上と記載されている矢印が示す方向を上方又は上側、下と記載されている矢印が示す方向を下方又は下側、と称する。
【００３０】
ノズル１０は、前後方向に延びる細長い形状を有している。ノズル１０は、把持部１１と、開放孔蓋部１６（蓋部）と、ノズル本体部２０と、吐出管２８とを有している。
【００３１】
把持部１１は、ノズル１０における基端側（後側）の部分である。把持部１１は、直腸Ｒ内の洗浄を行う操作者（ユーザ）によって把持される部分である。把持部１１は、その内部空間に洗浄液Ｗａが通過可能なように、中空状に形成されている。把持部１１の内部空間は、ノズル本体部２０の内部空間と連通している。把持部１１は、外側から視た全体的な形状が、上下方向にやや延びる直方体状に形成されている。把持部１１の上下方向における寸法は、前後方向に延びる細長い管状のノズル本体部２０の外径よりも大きい。
【００３２】
把持部１１における後側の部分は、ポート部１２として設けられている。ポート部１２には、流入ポート１２ａ及び流出ポート１２ｂが形成されている。各ポート１２ａ，１２ｂは、円筒状に形成されている。流入ポート１２ａには吐出側チューブ４が接続され、流出ポート１２ｂには排出側チューブ５が接続されている。
【００３３】
また、把持部１１における下側の部分には、開放孔１３が形成されている。開放孔１３は、上下方向に細長い略楕円形状を有している。開放孔１３は、ノズル１０内に形成された排出流路３２（詳しくは後述する）を大気へ開放するためのものである。
【００３４】
開放孔蓋部１６は、開放孔１３を開閉するためのものである。開放孔蓋部１６は、開放孔１３よりもやや大きい略楕円形状に形成されている。開放孔蓋部１６は、上下方向にスライド移動可能に構成されている。開放孔蓋部１６は、開放孔１３を覆う第１位置と、開放孔１３よりも上方に位置した第２位置との間をスライド移動可能に構成されている。開放孔蓋部１６は、例えば当該開放孔蓋部１６を第２位置へスライド移動させる際にクリック感を有するように形成されている。なお、図２では、開放孔蓋部１６が、排出流路３２を大気開放している状態（第２位置に位置している状態）を図示している。
【００３５】
ノズル本体部２０は、ノズル１０における先端側（前側）の部分であって、先端部が直腸Ｒ内に挿入される部分である。ノズル本体部２０は、管部２１及び先端壁部２２を有し、これらが一体に形成されている。
【００３６】
管部２１は、把持部１１における上側の部分から前方へ延びる細長い円筒状に形成された部分である。
【００３７】
先端壁部２２は、管部２１における前側の開口部を覆うように形成された略円形状の壁部である。先端壁部２２には、図３（Ａ）に示すように、１つの吐出口２３と、４つの吸引口２４とが形成されている。
【００３８】
吐出口２３は、先端壁部２２における中央部分に形成された円形状の孔である。ノズル１０では、吐出ポンプ２側から搬送される洗浄液Ｗａが、吐出口２３から直腸Ｒ内へ吐出される。
【００３９】
各吸引口２４は、先端壁部２２における吐出口２３よりも外側の部分に形成された円弧状の孔である。４つの吸引口２４は、図３（Ａ）に示すように、周方向に沿って等間隔に形成されている。ノズル１０では、直腸Ｒ内の不要液Ｗｂが吸引口２４から吸引される。
【００４０】
吐出管２８は、ノズル１０内に設けられた細長い管である。吐出管２８は、把持部１１の内部空間及びノズル本体部２０の内部空間の双方に跨るように設けられている。吐出管２８は、管部２１と同軸状に設けられている。吐出管２８では、その一端が流入ポート１２ａに連通する一方、その他端が吐出口２３に連通する。これにより、流入ポート１２ａから流入した洗浄液Ｗａを、吐出口２３まで搬送することができる。
【００４１】
ノズル１０には、吐出流路３１及び排出流路３２が形成される。
【００４２】
吐出流路３１は、吐出ポンプ２側から流入ポート１２ａまで搬送されてきた洗浄液Ｗａを、直腸Ｒ内へ供給するための流路である。本実施形態では、吐出管２８の内側の空間が、吐出流路３１として設けられている。吐出流路３１の一端（流入端）は、流入ポート１２ａに繋がっており、吐出流路３１の他端（流出端）は、吐出口２３に繋がっている。
【００４３】
排出流路３２は、直腸Ｒ内の不要液Ｗｂを体外へ排出するための流路である。本実施形態では、把持部１１及びノズル本体部２０における内側の壁面と、吐出管２８における外側の壁面との間の空間が、排出流路３２として設けられている。排出流路３２の一端（流入端）は、吸引口２４に繋がっており、排出流路３２の他端（流出端）は、流出ポート１２ｂに繋がっている。
【００４４】
［直腸洗浄装置の使用方法］
直腸洗浄装置１は、例えば一例として、直腸Ｒ内の遊離ガン細胞Ｃを体外へ排出するために用いられる。具体的には、直腸洗浄装置１は、以下のようにして用いられる。
【００４５】
まず操作者は、患者の直腸Ｒ内へ洗浄液Ｗａを吐出し、遊離ガン細胞Ｃを腸壁から除去する。具体的には、操作者は、患者の直腸Ｒ内にノズル１０の先端部を挿入し、その状態において吐出ポンプ２を駆動する。そうすると、洗浄液タンク６に貯留された洗浄液Ｗａが、吐出ポンプ２によってノズル１０側へ搬送される。このとき、洗浄液Ｗａは、吐出ポンプ２、吐出側チューブ４、流入ポート１２ａ、及びノズル１０内に形成された吐出流路３１を順に通じて、直腸Ｒ内へ吐出される。
【００４６】
その後、操作者は、吐出ポンプ２の駆動を停止、或いは吐出側チューブ４をクランプ８（図１参照）によってクランプすることにより、直腸Ｒ内への洗浄液Ｗａの吐出を停止する。その後、操作者は、開放孔蓋部１６が開放孔１３を閉じている状態で、ノズル１０の排出ポンプ３を駆動する。これにより、直腸Ｒ内の遊離ガン細胞Ｃが洗浄液とともに不要液Ｗｂとしてノズル１０の吸引口２４から吸引され、排出流路３２、流出ポート１２ｂ、排出側チューブ５を順に介して、排出ポンプ３側へ吸引される。これにより、直腸Ｒ内の遊離ガン細胞Ｃを体外へ排出することができる。操作者は、上述した吐出工程及び排出工程を必要に応じて適宜、繰り返し行うことにより、直腸Ｒ内を十分に洗浄することができる。
【００４７】
ところで、直腸Ｒ内の不要液Ｗｂをノズル１０によって吸引する際、例えばノズル１０の先端部分が腸壁に触れてしまうと吸引口が閉塞されてしまうため、不要液Ｗｂをスムーズに吸引することができなくなる。従来ではこのような場合、ノズル１０を徒手的に引いて腸壁から引きはがしていた。しかしながら、このような操作はノズル１０の吸引力がそれほど大きくない場合を前提としており、ノズルの吸引力が大きい場合にそのような操作を行うと、腸壁を傷つける危険性があった。そうなることを避けるために、排出側チューブ５をクランプすることにより吸引力を低下させることで、ノズルの先端部を腸壁から離間させ、その後クランプを解除することで、再度、不要液Ｗｂの吸引を行うことも考えられる。しかしながら、そうするには、操作者がノズルを把持している手と反対側の手を用いる必要があるため、操作が煩雑になってしまう。或いは、操作者の助手がその操作を行うことも考えられるが、複数名での作業が必要となってしまう。
【００４８】
この点につき、本実施形態に係る直腸洗浄装置１では、ノズル１０を保持している操作者が開放孔蓋部１６を適宜操作するだけで、ノズル１０の吸引圧を容易に且つ適切に調整することができる。
【００４９】
具体的には、直腸Ｒ内における不要液Ｗｂの吸引が正常に行われている場合には、開放孔蓋部１６は閉じられた状態となっている。これにより、不要液Ｗｂが排出ポンプ３側へ吸引される。
【００５０】
一方、ノズル１０の吸引圧を調整したい場合、操作者は、開放孔１３を閉じている開放孔蓋部１６を上方へスライドさせて開放孔１３をあけることにより、排出流路３２を大気へ開放することができる。これにより、ノズル１０の吸引圧を調整することができる。例えば、ノズル１０の吸引圧を少し下げたい場合、操作者は、開放孔蓋部１６を少しだけ上方へスライドさせて開放孔１３を少しだけあければよい。これにより、排出流路３２内の圧力を僅かに大気圧力に近づけることができるため、ノズル１０の吸引圧を下げることができる。また、ノズル１０による吸引を停止したい場合、操作者は、開放孔蓋部１６を大きく上方へスライドさせて開放孔１３を全開にすればよい（図２参照）。これにより、不要水の吸引を停止することができる。すなわち、この構成によれば、操作者が、ノズル１０を把持している方の手の指先の位置を僅かにずらすだけで、ノズル１０の吸引力を微妙に且つ瞬間的に、手間なく調整することができる。
【００５１】
［効果］
以上のように、本実施形態に係る直腸洗浄装置１によれば、ノズル１０の先端部を直腸Ｒ内に挿入し且つ開放孔１３を閉塞した状態において直腸Ｒ内の遊離ガン細胞Ｃを吸引することにより、遊離ガン細胞Ｃを、排出流路３２を介して体外へ排出することができる。
【００５２】
そして、直腸洗浄装置１によれば、ノズル１０の把持部１１に、排出流路３２を大気へ開放するための開放孔１３が形成されているため、容易にノズル１０の吸引圧を調整することができる。具体的には、ノズル１０を把持している操作者が、そのノズル１０を持っている方の手の指を用いて開放孔１３を塞いだり開けたりすることができる。すなわち、直腸洗浄装置１によれば、ノズル１０を把持している方の手でノズル１０の吸引圧を調整することができる。
【００５３】
従って、直腸洗浄装置１によれば、操作性に優れた体腔内不要物吸引装置を提供できる。
【００５４】
また、直腸洗浄装置１によれば、操作者がノズルを持ち替えることなく片手で、且つ操作者一人で、吸引圧の調整を行うことができる。これにより、装置の操作性を向上させることができ、ひいては洗浄作業の時間短縮を行うことができる。
【００５５】
また、直腸洗浄装置１では、開放孔１３の開閉が開放孔蓋部１６によって行われる。例えば、開放孔１３に開放孔蓋部１６が設けられていない場合、操作者は、開放孔１３の閉塞状態を保つために自身の指で開放孔１３を押さえ続ける必要がある。これに対して、直腸洗浄装置１によれば、操作者が一旦開放孔蓋部１６を閉めれば、次に開放孔蓋部１６を開けるまで指を自由に動かすことができる。すなわち、直腸洗浄装置１によれば、より操作性に優れた体腔内不要物吸引装置を提供できる。
【００５６】
また、直腸洗浄装置１では、操作者がノズル１０を把持しつつ、そのノズル１０を把持している方の手の指（例えば親指）を開放孔蓋部１６のスライド方向に沿って動かすことにより、開放孔１３を容易に開閉できる。すなわち、直腸洗浄装置１によれば、より一層操作性に優れた体腔内不要物吸引装置を提供できる。
【００５７】
また、直腸洗浄装置１によれば、直腸Ｒ内の遊離ガン細胞Ｃを吸引するためのノズル１０に、直腸Ｒ内に洗浄液Ｗａを吐出するための吐出流路３１も設けられているため、使い勝手のよい体腔内不要物吸引装置を提供できる。
【００５８】
以上、本発明の実施形態について説明したが、本発明は上述の実施の形態に限られるものではなく、特許請求の範囲に記載した限りにおいて様々な変更が可能である。例えば、次のように変更して実施してもよい。
【００５９】
［変形例］
（１）図４は、変形例に係る直腸洗浄装置に用いられるノズル１０ａの把持部１１ａ付近を拡大して示す図である。上述した実施形態では、開放孔１３を開閉する開放孔蓋部１６を備えたノズル１０を例に挙げて説明したが、これに限らない。具体的には、図４に示すように、開放孔蓋部１６を有さないノズル１０ａを構成することもできる。開放孔１３は、例えば親指で塞ぐことのできる程度の大きさに形成されている。この場合、操作者は、直腸内の不要液Ｗｂを吸引するときには、自身の指（例えば親指）で開放孔１３を塞げばよい。また、操作者は、開放孔１３を塞いでいる指を開放孔１３に対してずらすことにより生成される隙間の量を調整することにより、吸引圧を調整することができる。
【００６０】
以上、本変形例のように、ノズルとして、開放孔蓋部１６が省略されたノズル１０ａを採用しても、上記実施形態の場合と同様、ノズル１０ａを把持している方の手でノズル１０ａの吸引圧を調整することができるため、操作性に優れた体腔内不要物吸引装置を提供できる。
【００６１】
（２）図５は、変形例に係る直腸洗浄装置に用いられるノズル１０ｂの把持部１１ｂ付近を拡大して示す図である。上記実施形態、及び図４を用いて説明した変形例では、１つの開放孔１３が形成されたノズル１０，１０ａを例に挙げて説明したが、これに限らない。具体的には、図５に示すように、複数の開放孔１３が形成されたノズル１０ｂを構成してもよい。複数の開放孔１３は、例えば、上下方向に等間隔に形成されている。この場合、操作者は、直腸内の不要液Ｗｂを吸引するときには、自身の指（例えば親指）で、全ての開放孔１３を塞げばよい。また、操作者は、自身の指で塞ぐ開放孔１３の個数を調整することにより、吸引圧を調整することができる。例えば、操作者は、吸引圧を少し下げたい場合には、３つの開放孔１３のうちの２つを塞げばよい。また、操作者は、吸引圧を大きく下げたい場合には、３つの開放孔１３のうちの１つを塞げばよい。また、操作者は、ノズル１０ｂによる吸引を停止したい場合には、指を開放孔から離して全ての開放孔１３を開放すればよい。
【００６２】
以上、本変形例のように、ノズルとして、複数の開放孔１３が形成されたノズル１０ｂを採用しても、上記実施形態の場合と同様、ノズル１０ｂを把持している方の手でノズル１０ｂの吸引圧を調整することができるため、操作性に優れた体腔内不要物吸引装置を提供できる。
【００６３】
また、本変形例によれば、閉塞する開放孔１３の個数に応じて吸引圧を容易に調整することができる。
【００６４】
なお、図５に示すノズル１０ｂにおいて、各開放孔１３に開放孔蓋部が設けられていてもよい。こうすると、操作者は、各開放孔蓋部の開閉を適宜選択することにより、ノズルの吸引圧を適切に調整できる。
【００６５】
（３）図６は、変形例に係る直腸洗浄装置に用いられるノズル１０ｃの把持部１１ｃ付近を拡大して示す図である。上述した実施形態では、開放孔蓋部１６として、スライド式の蓋を採用したが、これに限らず、開放孔１３を開閉可能な蓋であれば、どのような蓋を採用してもよい。例えば、図６に示すように、スライド式の開放孔蓋部１６の代わりに、ヒンジ部１８を有する開放孔蓋部１７を採用してもよい。或いは、図示は省略するが、開放孔１３に対して取り外し可能な蓋部を採用してもよい。
【００６６】
（４）上述した実施形態では、本発明に係る体腔内不要物吸引装置の一例として、直腸洗浄装置を例に挙げて説明したが、これに限らない。具体的には、例えば、本発明は、直腸以外の体腔を洗浄する体腔内洗浄装置に適用することもできる。
【００６７】
（５）上述した実施形態では、吐出機能と排出機能とが一体化されたノズル１０を有する直腸洗浄装置１を例に挙げて説明したが、これに限らない。具体的には、吐出機能のみを有するノズルと排出機能のみを有するノズルとが別々に設けられた装置に適用することもできる。或いは、排出機能のみを有するノズルを備え且つ吐出機能を有するノズルが省略された装置に適用することもできる。
【００６８】
（６）図７は、変形例に係る直腸洗浄装置に用いられるノズル１０ｄの把持部１１ｄ付近を拡大して示す図であって、図７（Ａ）は正面図、図７（Ｂ）は把持部１１ｄを図７（Ａ）の矢印ＶＩＩＢ方向から視た図である。本変形例では、把持部１１ｄが、上記実施形態の把持部１１よりも下方へ延びるような形状を有している。そして、本変形例では、図７（Ｂ）に示すように、開放孔１３が、把持部１１ｄにおける前側の面に形成されている。
【００６９】
本変形例のノズル１０ｄの把持部１１ｄは、上述のように、上下方向に延びるように形成されている。把持部１１ｄをこのように構成することで、操作者は、図７（Ａ）に示すように、該把持部１１ｄにおける下側の部分を握るように把持することができる。この状態において、操作者の人差し指Ｆは、開放孔１３に対応する位置に位置付けられる。そうすると、操作者は、把持部１１ｄを把持した状態で人差し指Ｆを開放孔１３から離したり或いはずらしたりするだけで、ノズル１０ｄの吸引力を容易に調整することができる。
【００７０】
（７）上述した実施形態では、開放孔１３が、把持部１１における側面に形成されている例を挙げて説明した。また、図７を用いて説明した変形例では、開放孔１３が、把持部１１ｄにおける前側の面に形成されている例を挙げて説明した。しかし、これらに限らず、開放孔は、把持部１１におけるそれら以外の部分に形成されていてもよい。
【産業上の利用可能性】
【００７１】
本発明は、体腔内の不要物を吸引する体腔内不要物吸引装置として広く適用することができる。
【符号の説明】
【００７２】
１                        直腸洗浄装置（体腔内不要物吸引装置）
１０，１０ａ〜１０ｄ      ノズル
１１，１１ａ〜１１ｄ      把持部
１３                      開放孔
２０                      ノズル本体部
３２                      排出流路
Ｃ                        遊離ガン細胞（不要物）
【図１】
2018099431.tif 000003
【図２】
2018099431.tif 000004
【図３】
2018099431.tif 000005
【図４】
2018099431.tif 000006
【図５】
2018099431.tif 000007
【図６】
2018099431.tif 000008
【図７】
2018099431.tif 000009